(57)【特許請求の範囲】
【請求項１】
空気調和機を停止するための切タイマ(５)と、
上記空気調和機の運転を開始するための入タイマ(６)と、
上記切タイマ(５)の設定時間または上記入タイマ(６)の設定時間のいずれか一方を表示する時間表示領域と、上記切タイマ(５)が設定された切タイマモードであることを表示する切タイマモード表示領域と、上記入タイマ(６)が設定された入タイマモードであることを表示する入タイマモード表示領域とを有する表示部(１１)と、
上記切タイマ(５)の設定時間および上記入タイマ(６)の設定時間を設定するための操作部(４)と、
上記操作部(４)の入力に基づいて、上記切タイマ(５)または上記入タイマ(６)の一方が設定されたとき、設定された上記切タイマ(５)の設定時間または上記入タイマ(６)の設定時間の一方を上記表示部(１１)の時間表示領域に表示すると共に、上記切タイマモードまたは上記入タイマモードの一方であることを上記表示部(１１)の切タイマモード表示領域または入タイマモード表示領域の一方に表示する一方、上記切タイマ(５)および上記入タイマ(６)の両方が設定されたとき、設定された上記切タイマ(５)の設定時間および上記入タイマ(６)の設定時間を上記表示部(１１)の時間表示領域に表示せずに、上記切タイマモードであることを上記表示部(１１)の上記切タイマモード表示領域に表示すると共に、上記入タイマモードであることを上記表示部(１１)の上記入タイマモード表示領域に表示するように、上記表示部(１１)を制御する制御部(２)と
を備えたことを特徴とする空気調和機用リモートコントローラ。
【請求項２】
請求項１に記載の空気調和機用リモートコントローラにおいて、
上記制御部(２)は、上記切タイマ(５)および上記入タイマ(６)の両方が設定されているとき、上記切タイマ(５)または上記入タイマ(６)の一方の計時が終了すると、計時が終了していない上記切タイマ(５)または上記入タイマ(６)の他方の設定時間を上記表示部(１１)に表示させることを特徴とする空気調和機用リモートコントローラ。
【請求項３】
請求項１または２に記載の空気調和機用リモートコントローラにおいて、
上記表示部(１１)の時間表示領域は、少なくとも数字を表示する部分と時間単位を表示する部分からなり、
上記制御部(２)は、上記切タイマ(５)の設定時間および上記入タイマ(６)の設定時間を上記表示部(１１)に表示させない場合は、上記表示部(１１)の時間表示領域の上記数字を表示する部分と上記時間単位を表示する部分を表示させないことを特徴とする空気調和機用リモートコントローラ。
【請求項４】
請求項１または２に記載の空気調和機用リモートコントローラにおいて、
上記制御部(２)は、
上記切タイマ(５)または上記入タイマ(６)の一方が設定されて計時を行っているとき、上記切タイマ(５)または上記入タイマ(６)の他方が上記操作部(４)により設定されると、その設定された上記切タイマ(５)または上記入タイマ(６)の他方の設定時間を上記表示部(１１)の時間表示領域に表示する状態と表示しない状態を一定時間繰り返した後、上記表示部(１１)の時間表示領域に表示せずに、上記切タイマモードであることを上記表示部(１１)の切タイマモード表示領域に表示させると共に、上記入タイマモードであることを上記表示部(１１)の入タイマモード表示領域に表示させることを特徴とする空気調和機用リモートコントローラ。
【請求項５】
請求項４に記載の空気調和機用リモートコントローラにおいて、
上記制御部(２)は、
上記操作部(４)により設定された上記切タイマ(５)または上記入タイマ(６)の他方の設定時間を上記表示部(１１)の時間表示領域に表示する状態と表示しない状態を上記一定時間繰り返す場合に、上記切タイマ(５)または上記入タイマ(６)の他方の設定時間を上記表示部(１１)の時間表示領域に表示すると同時に、上記切タイマ(５)の設定時間を表示するときは上記表示部(１１)の切タイマモード表示領域に上記切タイマモードであることを表示させる一方、上記入タイマの設定時間を表示するときは上記表示部(１１)の入タイマモード表示領域に上記入タイマモードであることを表示させることを特徴とする空気調和機用リモートコントローラ。
【請求項６】
請求項４または５に記載の空気調和機用リモートコントローラにおいて、
上記表示部(１１)の時間表示領域は、少なくとも数字を表示する部分と時間単位を表示する部分からなり、
上記制御部(２)は、上記操作部(４)により設定された上記切タイマ(５)または上記入タイマ(６)の他方の設定時間を上記表示部(１１)の時間表示領域に表示する状態と表示しない状態を上記一定時間繰り返す場合に、上記切タイマ(５)または上記入タイマ(６)の他方の設定時間を上記表示部(１１)の時間表示領域の上記数字を表示する部分と上記時間単位を表示する部分を同時に表示または非表示にすることを特徴とする空気調和機用リモートコントローラ。
【請求項７】
請求項１に記載の空気調和機用リモートコントローラにおいて、
上記制御部(２)は、
上記切タイマ(５)と上記入タイマ(６)の両方が設定されているとき、上記操作部(４)の上記切タイマ(５)用の設定ボタンが操作されると、上記切タイマ(５)の設定時間を上記表示部(１１)の時間表示領域に表示する状態と表示しない状態を第１所定時間繰り返すと同時に、上記切タイマモードであることを上記表示部(１１)の上記切タイマモード表示領域に表示する状態と表示しない状態を上記第１所定時間繰り返す一方、
上記切タイマ(５)と上記入タイマ(６)の両方が設定されているとき、上記操作部(４)の上記入タイマ(６)用の設定ボタンが操作されると、上記入タイマ(６)の設定時間を上記表示部(１１)の時間表示領域に表示する状態と表示しない状態を第２所定時間繰り返すと同時に、上記入タイマモードであることを上記表示部(１１)の上記入タイマモード表示領域に表示する状態と表示しない状態を上記第２所定時間繰り返すことを特徴とする空気調和機用リモートコントローラ。
【請求項８】
請求項７に記載の空気調和機用リモートコントローラにおいて、
上記制御部(２)は、
上記切タイマ(５)と上記入タイマ(６)の両方が設定されて夫々計時を行っているときに上記操作部(４)の上記切タイマ(５)用の設定ボタンが操作されて、上記切タイマ(５)の設定時間を上記表示部(１１)の時間表示領域に表示する状態と表示しない状態を繰り返すと同時に、上記切タイマモードであることを上記表示部(１１)の上記切タイマモード表示領域に表示する状態と表示しない状態を繰り返す上記第１所定時間内に、上記操作部(４)の上記切タイマ(５)用の設定ボタンがさらに操作されると、上記切タイマ(５)の設定時間を再設定することを特徴とする空気調和機用リモートコントローラ。
【請求項９】
請求項７に記載の空気調和機用リモートコントローラにおいて、
上記制御部(２)は、
上記切タイマ(５)と上記入タイマ(６)の両方が設定されて夫々計時を行っているときに上記操作部(４)の上記入タイマ(６)用の設定ボタンが操作されて、上記入タイマ(６)の設定時間を上記表示部(１１)の時間表示領域に表示する状態と表示しない状態を繰り返すと同時に、上記入タイマモードであることを上記表示部(１１)の上記入タイマモード表示領域に表示する状態と表示しない状態を繰り返す上記第２所定時間内に、上記操作部(４)の上記入タイマ(６)用の設定ボタンがさらに操作されると、上記入タイマ(６)の設定時間を再設定することを特徴とする空気調和機用リモートコントローラ。
【発明の詳細な説明】
【技術分野】
【０００１】
この発明は、空気調和機の遠隔操作に使用される空気調和機用リモートコントローラに関する。
【背景技術】
【０００２】
従来、空気調和機用リモートコントローラとしては、空気調和機の運転を設定時間後に停止させる切タイマと、停止中の空気調和機を設定時間後に運転させる入タイマを備えたものがある(例えば、特開平６−３３５０７１号公報(特許文献１)参照)。しかしながら、このリモートコントローラでは、切タイマまたは入タイマの一方しか設定できず、切タイマと入タイマを同時に設定できないという問題がある。
【０００３】
そこで、切タイマと入タイマを同時に設定できる空気調和機用リモートコントローラが提案されている。この空気調和機用リモートコントローラでは、切タイマの設定時間を表示する表示領域と入タイマの設定時間を表示する表示領域を表示部に設けなければならない。
【０００４】
図１５は上記切タイマの設定時間を表示する表示領域と入タイマの設定時間を表示する表示領域を表示部に設けた空気調和機用リモートコントローラの正面図を示している。図１５において、１１０は本体、１１１は上記本体１１０の上側に設けられた表示部、１１２は運転／停止用の押ボタン、１１７は「切タイマ」設定用の押ボタン、１１８は「入タイマ」設定用の押ボタン、１１９は「取消」用の押ボタンである。上記表示部１１１には、切タイマの設定時間を表示する表示領域と、入タイマの設定時間を表示する表示領域を有すると共に、切タイマ用の「切」および入タイマ用の「入」を表示する。
【０００５】
上記空気調和機用リモートコントローラでは、切タイマの設定時間と入タイマの設定時間を２つの７セグメント表示により別々に表示しているため、表示部に用いられる液晶表示装置が大きくなり、コストが高くつくという問題がある。
【特許文献１】特開平６−３３５０７１号公報
【発明の開示】
【発明が解決しようとする課題】
【０００６】
そこで、この発明の課題は、視認性を保ちつつ表示部の大きさを小さくできる低コストな空気調和機用リモートコントローラを提供することにある。
【課題を解決するための手段】
【０００７】
上記課題を解決するため、この発明の空気調和機用リモートコントローラは、
空気調和機を停止するための切タイマと、
上記空気調和機の運転を開始するための入タイマと、
上記切タイマの設定時間または上記入タイマの設定時間のいずれか一方を表示する時間表示領域と、上記切タイマが設定された切タイマモードであることを表示する切タイマモード表示領域と、上記入タイマが設定された入タイマモードであることを表示する入タイマモード表示領域とを有する表示部と、
上記切タイマの設定時間および上記入タイマの設定時間を設定するための操作部と、
上記操作部の入力に基づいて、上記切タイマまたは上記入タイマの一方が設定されたとき、設定された上記切タイマの設定時間または上記入タイマの設定時間の一方を上記表示部の時間表示領域に表示すると共に、上記切タイマモードまたは上記入タイマモードの一方であることを上記表示部の切タイマモード表示領域または入タイマモード表示領域の一方に表示する一方、上記切タイマおよび上記入タイマの両方が設定されたとき、設定された上記切タイマの設定時間および上記入タイマの設定時間を上記表示部の時間表示領域に表示せずに、上記切タイマモードであることを上記表示部の上記切タイマモード表示領域に表示すると共に、上記入タイマモードであることを上記表示部の上記入タイマモード表示領域に表示するように、上記表示部を制御する制御部と
を備えたことを特徴とする。
【０００８】
上記構成の空気調和機用リモートコントローラによれば、例えば、上記切タイマと入タイマが設定されていない状態から切タイマが設定されたとき、設定された切タイマの設定時間を表示部の時間表示領域に表示すると共に、切タイマモードであることを表示部の切タイマモード表示領域に表示する。また、上記切タイマと入タイマが設定されていない状態から入タイマが設定されたとき、設定された入タイマの設定時間を表示部の時間表示領域に表示すると共に、入タイマモードあることを表示部の入タイマモード表示領域に表示する。一方、上記切タイマおよび入タイマの両方が設定されたとき、設定された切タイマの設定時間と入タイマの設定時間を表示部の時間表示領域に表示せずに、切タイマモードであることを表示部の切タイマモード表示領域に表示すると共に、入タイマモードであることを表示部の入タイマモード表示領域に表示する。これによって、上記表示部の１つの時間表示領域を切タイマの設定時間または入タイマの設定時間の表示に兼用でき、切タイマおよび入タイマの両方が設定されたときは、ユーザーが混乱しないように、切タイマの設定時間と入タイマの設定時間のいずれも表示部の時間表示領域に表示しない。したがって、視認性を保ちつつ表示部の大きさを小さくでき、コストを低減できる。
【０００９】
また、一実施形態の空気調和機用リモートコントローラは、上記制御部が、上記切タイマおよび上記入タイマの両方が設定されているとき、上記切タイマまたは上記入タイマの一方の計時が終了すると、計時が終了していない上記切タイマまたは上記入タイマの他方の設定時間を上記表示部に表示させる。
【００１０】
上記実施形態の空気調和機用リモートコントローラによれば、上記切タイマおよび入タイマの両方が設定されているとき、切タイマまたは入タイマの一方の計時が終了すると、計時が終了していない切タイマまたは入タイマの他方の設定時間を表示部に表示する。これによって、切タイマまたは入タイマのいずれか一方のみの動作モードになったときは、その切タイマまたは入タイマの一方の残り時間を表示部の時間表示領域に表示することで、ユーザーは残り時間を知ることができる。
【００１１】
また、一実施形態の空気調和機用リモートコントローラは、
上記表示部の時間表示領域が、少なくとも数字を表示する部分と時間単位を表示する部分からなり、
上記制御部は、上記切タイマの設定時間および上記入タイマの設定時間を上記表示部に表示させない場合は、上記表示部の時間表示領域の上記数字を表示する部分と上記時間単位を表示する部分を表示させない。
【００１２】
上記実施形態の空気調和機用リモートコントローラによれば、上記切タイマの設定時間および入タイマの設定時間を表示部に表示しない場合は、表示部の時間表示領域の上記数字を表示する部分と上記時間単位を表示する部分を表示しないので、視認性をさらに向上でき、ユーザーが混乱しないようにできる。
【００１３】
また、一実施形態の空気調和機用リモートコントローラは、
上記制御部が、
上記切タイマまたは上記入タイマの一方が設定されて計時を行っているとき、上記切タイマまたは上記入タイマの他方が上記操作部により設定されると、その設定された上記切タイマまたは上記入タイマの他方の設定時間を上記表示部の時間表示領域に表示する状態と表示しない状態を一定時間繰り返した後、上記表示部の時間表示領域に表示せずに、上記切タイマモードであることを上記表示部の切タイマモード表示領域に表示させると共に、上記入タイマモードであることを上記表示部の入タイマモード表示領域に表示させる。
【００１４】
上記実施形態の空気調和機用リモートコントローラによれば、上記切タイマまたは入タイマの一方が設定されて計時を行っているとき、切タイマまたは入タイマの他方が操作部により設定されると、設定された切タイマまたは入タイマの他方の設定時間を表示部の時間表示領域に表示する状態と表示しない状態を一定時間繰り返す。そして、その表示,非表示を一定時間繰り返した後、表示部の時間表示領域に表示せずに、切タイマモードであることを表示部の切タイマモード表示領域に表示すると共に、入タイマモードであることを表示部の入タイマモード表示領域に表示する。これによって、切タイマと入タイマの両方を設定する操作が表示部を見ながら容易に行うことができる。
【００１５】
また、一実施形態の空気調和機用リモートコントローラは、
上記制御部が、
上記操作部により設定された上記切タイマまたは上記入タイマの他方の設定時間を上記表示部の時間表示領域に表示する状態と表示しない状態を上記一定時間繰り返す場合に、上記切タイマまたは上記入タイマの他方の設定時間を上記表示部の時間表示領域に表示すると同時に、上記切タイマの設定時間を表示するときは上記表示部の切タイマモード表示領域に上記切タイマモードであることを表示させる一方、上記入タイマの設定時間を表示するときは上記表示部の入タイマモード表示領域に上記入タイマモードであることを表示させる。
【００１６】
上記実施形態の空気調和機用リモートコントローラによれば、例えば、上記操作部により設定された切タイマの設定時間を表示部の時間表示領域に表示する状態と表示しない状態を一定時間繰り返す場合に、切タイマの設定時間を表示部の時間表示領域に表示すると同時に、表示部の切タイマモード表示領域に切タイマモードであることを表示する。一方、上記操作部により設定された入タイマの設定時間を表示部の時間表示領域に表示する状態と表示しない状態を一定時間繰り返す場合に、入タイマの設定時間を表示部の時間表示領域に表示すると同時に、表示部の入タイマモード表示領域に入タイマモードであることを表示する。これによって、設定中または設定したタイマが切タイマであるか入タイマであるかをはっきりと認識でき、その設定時間も確認することができる。
【００１７】
また、一実施形態の空気調和機用リモートコントローラは、
上記表示部の時間表示領域が、少なくとも数字を表示する部分と時間単位を表示する部分からなり、
上記制御部は、上記操作部により設定された上記切タイマまたは上記入タイマの他方の設定時間を上記表示部の時間表示領域に表示する状態と表示しない状態を上記一定時間繰り返す場合に、上記切タイマまたは上記入タイマの他方の設定時間を上記表示部の時間表示領域の上記数字を表示する部分と上記時間単位を表示する部分を同時に表示または非表示にする。
【００１８】
上記実施形態の空気調和機用リモートコントローラによれば、上記切タイマの設定時間および入タイマの設定時間を表示部に表示しない場合は、表示部の時間表示領域の上記数字を表示する部分と上記時間単位を表示する部分を表示しないので、視認性をさらに向上でき、ユーザーが混乱しないようにできる。
【００１９】
また、一実施形態の空気調和機用リモートコントローラでは、
上記制御部は、
上記切タイマと上記入タイマの両方が設定されているとき、上記操作部の上記切タイマ用の設定ボタンが操作されると、上記切タイマの設定時間を上記表示部の時間表示領域に表示する状態と表示しない状態を第１所定時間繰り返すと同時に、上記切タイマモードであることを上記表示部の上記切タイマモード表示領域に表示する状態と表示しない状態を上記第１所定時間繰り返す一方、
上記切タイマまたは上記入タイマの両方が設定されているとき、上記操作部の上記入タイマ用の設定ボタンが操作されると、上記入タイマの設定時間を上記表示部の時間表示領域に表示する状態と表示しない状態を第２所定時間繰り返すと同時に、上記入タイマモードであることを上記表示部の上記入タイマモード表示領域に表示する状態と表示しない状態を上記第２所定時間繰り返す。
【００２０】
上記実施形態の空気調和機用リモートコントローラによれば、上記切タイマと入タイマの両方が設定されているときに、操作部の切タイマ用の設定ボタンを操作することによって、制御部により、切タイマの設定時間を表示部の時間表示領域に表示する状態と表示しない状態を第１所定時間繰り返すと同時に、切タイマモードであることを表示部の切タイマモード表示領域に表示する状態と表示しない状態を第１所定時間繰り返す。これによって、設定されている切タイマの設定時間を確認することができる。また、上記切タイマまたは入タイマの両方が設定されているときに、操作部の入タイマ用の設定ボタンを操作することによって、制御部により、入タイマの設定時間を表示部の時間表示領域に表示する状態と表示しない状態を第２所定時間繰り返すと同時に、入タイマモードであることを表示部の入タイマモード表示領域に表示する状態と表示しない状態を第２所定時間繰り返す。これによって、設定されている入タイマの設定時間を確認することができる。ここで、表示部の時間表示領域に表示する切タイマ,入タイマの設定時間は、タイマの計時が進んでいるときはその分を減じた時間が表示される。
【００２１】
また、一実施形態の空気調和機用リモートコントローラでは、
上記制御部は、
上記切タイマと上記入タイマの両方が設定されて夫々計時を行っているときに上記操作部の上記切タイマ用の設定ボタンが操作されて、上記切タイマの設定時間を上記表示部の時間表示領域に表示する状態と表示しない状態を繰り返すと同時に、上記切タイマモードであることを上記表示部の上記切タイマモード表示領域に表示する状態と表示しない状態を繰り返す上記第１所定時間内に、上記操作部の上記切タイマ用の設定ボタンがさらに操作されると、上記切タイマの設定時間を再設定する。
【００２２】
上記実施形態の空気調和機用リモートコントローラによれば、上記切タイマと入タイマの両方が設定されて夫々計時を行っているときに操作部の切タイマ用の設定ボタンを操作すると、制御部により、切タイマの設定時間を表示部の時間表示領域に表示する状態と表示しない状態を第１所定時間繰り返すと同時に、切タイマモードであることを表示部の切タイマモード表示領域に表示する状態と表示しない状態を第１所定時間繰り返す。この第１所定時間内に、操作部の切タイマ用の設定ボタンがさらに操作されると、制御部により切タイマの設定時間を再設定する。これにより、設定されている切タイマの設定時間を確認した後に、続けて切タイマの設定時間を再設定することが可能となり、操作性が向上する。
【００２３】
また、一実施形態の空気調和機用リモートコントローラでは、
上記制御部は、
上記切タイマと上記入タイマの両方が設定されて夫々計時を行っているときに上記操作部の上記入タイマ用の設定ボタンが操作されて、上記入タイマの設定時間を上記表示部の時間表示領域に表示する状態と表示しない状態を繰り返すと同時に、上記入タイマモードであることを上記表示部の上記入タイマモード表示領域に表示する状態と表示しない状態を繰り返す上記第２所定時間内に、上記操作部の上記入タイマ用の設定ボタンがさらに操作されると、上記入タイマの設定時間を再設定する。
【００２４】
上記実施形態の空気調和機用リモートコントローラによれば、上記切タイマと入タイマの両方が設定されて夫々計時を行っているときに操作部の入タイマ用の設定ボタンを操作すると、制御部により、入タイマの設定時間を表示部の時間表示領域に表示する状態と表示しない状態を第２所定時間繰り返すと同時に、入タイマモードであることを表示部の入タイマモード表示領域に表示する状態と表示しない状態を第２所定時間繰り返す。この第２所定時間内に、操作部の入タイマ用の設定ボタンがさらに操作されると、制御部により入タイマの設定時間を再設定する。これにより、設定されている入タイマの設定時間を確認した後に、続けて入タイマの設定時間を再設定することが可能となり、操作性が向上する。
【発明の効果】
【００２５】
以上より明らかなように、この発明の空気調和機用リモートコントローラによれば、視認性を保ちつつ表示部の大きさを小さくできる低コストな空気調和機用リモートコントローラを実現することができる。
【００２６】
また、一実施形態の空気調和機用リモートコントローラによれば、切タイマおよび入タイマの両方が設定されているとき、切タイマまたは入タイマの一方の計時が終了すると、計時が終了していない切タイマまたは入タイマの他方の設定時間を表示部に表示して、切タイマまたは入タイマのいずれか一方のみの計時になったときは、その切タイマまたは入タイマの一方の残り時間を表示部の時間表示領域に表示することによって、ユーザーは残り時間を知ることができる。
【００２７】
また、一実施形態の空気調和機用リモートコントローラによれば、上記切タイマおよび入タイマの両方が設定されていて、切タイマの設定時間および入タイマの設定時間を表示部に表示しない場合は、表示部の時間表示領域の上記数字を表示する部分と上記時間単位を表示する部分を表示しないことによって、視認性をさらに向上でき、ユーザーが混乱しないようにできる。
【００２８】
また、一実施形態の空気調和機用リモートコントローラによれば、上記切タイマまたは入タイマの一方が設定されて計時を行っているとき、切タイマまたは入タイマの他方が操作部により設定されると、設定された切タイマまたは入タイマの他方の設定時間を表示部の時間表示領域に表示する状態と表示しない状態を一定時間繰り返した後、表示部の時間表示領域に表示せずに、切タイマモードであることを表示部の切タイマモード表示領域に表示すると共に、入タイマモードであることを表示部の入タイマモード表示領域に表示するので、切タイマと入タイマの両方を設定する操作が表示部を見ながら容易に行うことができる。
【００２９】
また、一実施形態の空気調和機用リモートコントローラによれば、例えば、操作部により設定された切タイマの設定時間を表示部の時間表示領域に表示する状態と表示しない状態を一定時間繰り返す場合に、切タイマの設定時間を表示部の時間表示領域に表示すると同時に、表示部の切タイマモード表示領域に切タイマモードであることを表示する一方、操作部により設定された入タイマの設定時間を表示部の時間表示領域に表示する状態と表示しない状態を一定時間繰り返す場合に、入タイマの設定時間を表示部の時間表示領域に表示すると同時に、表示部の入タイマモード表示領域に入タイマモードであることを表示することによって、設定中または設定したタイマが切タイマであるか入タイマであるかをはっきりと認識でき、その設定時間も確認することができる。したがって、操作性を向上できる。
【００３０】
また、一実施形態の空気調和機用リモートコントローラによれば、上記切タイマの設定時間および入タイマの設定時間を表示部に表示しない場合は、表示部の時間表示領域の上記数字を表示する部分と上記時間単位を表示する部分を表示しないので、視認性をさらに向上でき、ユーザーが混乱しないようにできる。
【００３１】
また、一実施形態の空気調和機用リモートコントローラによれば、上記切タイマと入タイマの両方が設定されているときに、操作部の切タイマ用の設定ボタンを操作して、制御部により、切タイマの設定時間を表示部の時間表示領域に表示する状態と表示しない状態を第１所定時間繰り返すと同時に、切タイマモードであることを表示部の切タイマモード表示領域に表示する状態と表示しない状態を第１所定時間繰り返すことによって、切タイマ用の設定ボタンの操作で切タイマの設定時間を確認することができる。また、上記切タイマまたは入タイマの両方が設定されているときに、操作部の入タイマ用の設定ボタンを操作して、制御部により、入タイマの設定時間を表示部の時間表示領域に表示する状態と表示しない状態を第２所定時間繰り返すと同時に、入タイマモードであることを表示部の入タイマモード表示領域に表示する状態と表示しない状態を第２所定時間繰り返すことによって、入タイマ用の設定ボタンの操作で入タイマの設定時間を確認することができる。
【００３２】
また、一実施形態の空気調和機用リモートコントローラによれば、上記切タイマと入タイマの両方が設定されて夫々計時を行っているときに操作部の切タイマ用の設定ボタンを操作すると、制御部により、切タイマの設定時間を表示部の時間表示領域に表示する状態と表示しない状態を第１所定時間繰り返すと同時に、切タイマモードであることを表示部の切タイマモード表示領域に表示する状態と表示しない状態を第１所定時間繰り返し、この第１所定時間内に、操作部の切タイマ用の設定ボタンがさらに操作されると、制御部により切タイマの設定時間が再設定されることにより、設定されている切タイマの設定時間を確認した後に、続けて切タイマの設定時間を再設定することが可能となり、操作性が向上する。
【００３３】
また、一実施形態の空気調和機用リモートコントローラによれば、上記切タイマと入タイマの両方が設定されて夫々計時を行っているときに操作部の入タイマ用の設定ボタンを操作すると、制御部により、入タイマの設定時間を表示部の時間表示領域に表示する状態と表示しない状態を第２所定時間繰り返すと同時に、入タイマモードであることを表示部の入タイマモード表示領域に表示する状態と表示しない状態を第２所定時間繰り返し、この第２所定時間内に、操作部の入タイマ用の設定ボタンがさらに操作されると、制御部により入タイマの設定時間が再設定されることにより、設定されている入タイマの設定時間を確認した後に、続けて入タイマの設定時間を再設定することが可能となり、操作性が向上する。
【発明を実施するための最良の形態】
【００３４】
以下、この発明の空気調和機用リモートコントローラを図示の実施の形態により詳細に説明する。
【００３５】
〔第１実施形態〕
図１はこの発明の第１実施形態の空気調和機用リモートコントローラ１の正面図を示しており、図１において、１０は本体、１１は上記本体１０の上側に設けられた表示部、１２は運転／停止用の押ボタン、１３は「運転切換」用の押ボタン、１４は「温度」設定用ボタン、１５は「風量」設定用の押ボタン、１６は「風向」設定用の押ボタン、１７は「切タイマ」設定用の押ボタン、１８は「入タイマ」設定用の押ボタン、１９は「取消」用の押ボタンである。図１では、表示部１１に表示要素のすべてが示されている。
【００３６】
また、図２は上記空気調和機用リモートコントローラ１のブロック図を示している。この空気調和機用リモートコントローラ１は、図２に示すように、制御部２と、空気調和機の室内機(図示せず)と通信を行う通信部３と、上記制御部２により制御される表示部１１と、運転／停止用の押ボタン１２等を有する操作部４と、空気調和機を運転停止用の設定時間後に停止するための切タイマ５と、空気調和機を運転開始用の設定時間後に運転を開始するための入タイマ６とを備えている。
【００３７】
上記表示部１１は、切タイマ５の設定時間または入タイマ６の設定時間のいずれか一方を表示する時間表示領域と、上記切タイマ５が設定された切タイマモードであることを表示する切タイマモード表示領域(図１の「切」)と、上記入タイマ６が設定された入タイマモードであることを表示する入タイマモード表示領域(図１の「入」)とを有する。この表示部１１の時間表示領域は、図１における表示部１１の左下側の２セグメント表示と７セグメント表示により表される２桁の数字(１〜１９)を表示する部分、および、時間単位を表示する部分(「時間後」)からなる。
【００３８】
また、上記操作部４の「切タイマ」設定用の押ボタン１７(図１に示す)および「入タイマ」設定用の押ボタン１８(図１に示す)によって、切タイマ５とその設定時間および入タイマ６とその設定時間を設定する。
【００３９】
図３〜図６は上記空気調和機用リモートコントローラ１の制御部２の切タイマ５および入タイマ６の動作を説明するためのフローチャートを示しており、以下、図３〜図６に従って制御部２の動作を説明する。
【００４０】
まず、処理がスタートすると、ステップＳ１で切タイマモードであるか否かを判別して、切タイマモードであると判別すると、ステップＳ９に進む一方、切タイマモードでないと判別すると、ステップＳ２に進む。
【００４１】
次に、ステップＳ２で入タイマモードであるか否かを判別して、入タイマモードであると判別すると、図５に示すステップＳ２１に進む一方、入タイマモードでないと判別すると、ステップＳ３に進む。
【００４２】
次に、ステップＳ３で切タイマ５を設定するか否かを判別して、切タイマ５を設定するとき、ステップＳ５に進み、切タイマモードの設定および切タイマ５の時間を設定する。そして、ステップＳ６に進み、表示部１１の切タイマモード表示領域の表示を「  」から「切」にすると共に、表示部１１の時間表示領域に切タイマ５の時間を表示した後、ステップＳ１に戻る。
【００４３】
一方、ステップＳ３で切タイマ５を設定しないとき、ステップＳ４に進み、入タイマ６を設定するか否かを判別して、入タイマ６を設定するとき、ステップＳ７に進む一方、入タイマ６を設定しないとき、ステップＳ１に戻る。
【００４４】
そして、ステップＳ７では、入タイマモードの設定および入タイマ６の時間を設定する。そして、ステップＳ６に進み、表示部１１の入タイマモード表示領域の表示を「  」から「入」にすると共に、表示部１１の時間表示領域に入タイマ６の時間を表示した後、ステップＳ１に戻る。
【００４５】
また、ステップＳ９では、入タイマモードであるか否かを判別して、入タイマモードであると判別すると、図６に示すステップＳ３１に進む一方、切タイマモードでないと判別すると、図４のステップＳ１１に進む。
【００４６】
図４に示すステップＳ１１では、切タイマ５の計時が終了したか否かを判別して、切タイマ５の計時が終了したと判別すると、ステップＳ１５に進む一方、切タイマ５の計時が終了していないと判別すると、ステップＳ１２に進む。
【００４７】
そして、ステップＳ１２で入タイマ６を設定するか否かを判別して、入タイマ６を設定するとき、ステップＳ１３に進み、入タイマモードの設定および入タイマ６の時間を設定する。ここで、入タイマ６の設定時間は、切タイマ５の設定時間と同じ時間に設定できないものとする。そして、ステップＳ１４に進み、表示部１１の表示を「切」から「切入」にすると共に、表示部１１の時間表示領域に時間を表示せずに、図３のステップＳ１に戻る。
【００４８】
一方、ステップＳ１５では、空気調和機の運転を停止し、ステップＳ１６に進んで、切タイマモードの解除を行う。そして、ステップＳ１７に進み、表示部１１の表示を「切」から「  」にすると共に、表示部１１の時間表示領域に時間を表示せずに、図３のステップＳ１に戻る。
【００４９】
また、図５に示すステップＳ２１では、入タイマ６の計時が終了したか否かを判別して、入タイマ６の計時が終了したと判別すると、ステップＳ２５に進む一方、入タイマ６の計時が終了していないと判別すると、ステップＳ２２に進む。
【００５０】
そして、ステップＳ２２で切タイマ５を設定するか否かを判別して、切タイマ５を設定するとき、ステップＳ２３に進み、切タイマモードの設定および切タイマ５の時間を設定する。ここで、切タイマ５の設定時間は、入タイマ６の設定時間と同じ時間に設定できないものとする。そして、ステップＳ２４に進み、表示部１１の表示を「入」から「切入」にすると共に、表示部１１の時間表示領域に時間を表示せずに、図３のステップＳ１に戻る。
【００５１】
一方、ステップＳ２５では、空気調和機の運転を開始し、ステップＳ２６に進んで、入タイマモードの解除を行う。そして、ステップＳ２７に進み、表示部１１の表示を「入」から「  」にすると共に、表示部１１の時間表示領域に時間を表示せずに、図３のステップＳ１に戻る。
【００５２】
また、図６に示すステップＳ３１では、入タイマ６の設定時間よりも切タイマ５の設定時間が短いか否かを判別して、入タイマ６の設定時間よりも切タイマ５の設定時間が短いと判別すると、ステップＳ３２に進む一方、入タイマ６の設定時間よりも切タイマ５の設定時間が短くないと判別すると、ステップＳ３６に進む。
【００５３】
そして、ステップＳ３２では、切タイマ５の計時が終了したか否かを判別して、切タイマ５の計時が終了していないと判別すると、図３のステップＳ１に戻る。
【００５４】
一方、ステップＳ３２で切タイマ５の計時が終了したと判別すると、ステップＳ３３に進み、空気調和機の運転を停止し、ステップＳ３４に進んで、切タイマモードの解除を行う。そして、ステップＳ３５に進み、表示部１１の表示を「切入」から「入」にすると共に、表示部１１の時間表示領域に入タイマ６の設定時間を表示した後、入タイマモードを継続したまま図３のステップＳ１に戻る。
【００５５】
また、ステップＳ３６では、入タイマ６の計時が終了したか否かを判別して、入タイマ６の計時が終了していないと判別すると、図３のステップＳ１に戻る。
【００５６】
一方、ステップＳ３６で切タイマ５の計時が終了したと判別すると、ステップＳ３７に進み、空気調和機の運転を開始し、ステップＳ３８に進んで、入タイマモードの解除を行う。そして、ステップＳ３９に進み、表示部１１の表示を「切入」から「切」にすると共に、表示部１１の時間表示領域に切タイマ５の設定時間を表示した後、切タイマモードを継続したまま図３のステップＳ１に戻る。
【００５７】
図７は切タイマ５を設定するときの表示部１１の表示例を示している。
【００５８】
図７に示すように、「３時間後切り」で切タイマ５を設定した場合、まず、表示部１１の時間表示領域に「３」を表示すると共に「時間後」を表示し、表示部１１の切タイマモード表示領域に「切」を表示する。
【００５９】
次に、１時間が経過すると、表示部１１の時間表示領域が「２」に変わり、さらに１時間が経過すると、表示部１１の時間表示領域が「１」に変わる。その後、１時間が経過すると、空気調和機の運転が停止されて、表示部１１の時間表示領域と「時間後」および切タイマモード表示領域の「切」が消える。
【００６０】
また、図８は入タイマ６を設定するときの表示部の表示例を示している。
【００６１】
図８に示すように、「３時間後入り」で入タイマ６を設定した場合、まず、表示部１１の時間表示領域に「３」を表示すると共に「時間後」を表示し、表示部１１の入タイマモード表示領域に「入」を表示する。
【００６２】
次に、１時間が経過すると、表示部１１の時間表示領域が「２」に変わり、さらに１時間が経過すると、表示部１１の時間表示領域が「１」に変わる。その後、１時間が経過すると、空気調和機の運転が開始されて、表示部１１の時間表示領域と「時間後」および入タイマモード表示領域の「入」が消える。
【００６３】
また、図９は切タイマ５が設定されているときに入タイマ６を設定するときの表示部の表示例を示している。
【００６４】
図９に示すように、「３時間後切り」で切タイマ５が設定されているときに「１時間後入り」で入タイマ６を設定した場合について説明する。
【００６５】
まず、表示部１１の時間表示領域に「３」を表示すると共に「時間後」を表示し、表示部１１の切タイマモード表示領域に「切」を表示している。
【００６６】
この状態で入タイマ６を設定する「入タイマ」設定用の押ボタン１８(図１に示す)が１回押されると、表示部１１の時間表示領域に「１」を表示すると共に、表示部１１の入タイマモード表示領域に「入」を表示する。
【００６７】
そうすると、上記入タイマ６の設定時間を表示部１１の時間表示領域に表示する状態と表示しない状態を一定時間繰り返した後、表示部１１の時間表示領域の時間表示が消え、表示部１１の切タイマモード表示領域の「切」の表示と共に入タイマモード表示領域に「入」を表示する(設定完了後の表示)。
【００６８】
上記入タイマ６の設定完了後、１時間が経過すると、入タイマ６の計時が終了し、空気調和機の運転を開始する。そして、表示部１１の入タイマモード表示領域の「入」が消え、切タイマモードであることを示す表示部１１の切タイマモード表示領域に「切」の表示が残ると共に、表示部１１の時間表示領域に「２」,「時間後」を表示する。この後は、図７と同様の動作となる。
【００６９】
なお、図９では、「入タイマ」設定用の押ボタン１８を１回押して、入タイマ６の設定時間を「１」時間としたが、表示,非表示を繰り返しているときに、押ボタン１８をもう１回押すことで入タイマ６の設定時間を「２」時間にでき、連続して押ボタン１８を押すことで押した回数分の時間を設定できる。
【００７０】
また、図１０は入タイマ６が設定されているときに切タイマ５を設定するときの表示部１１の表示例を示している。
【００７１】
図１０に示すように、「３時間後入り」で入タイマ６が設定されているときに「１時間後切り」で切タイマ５を設定した場合について説明する。
【００７２】
まず、表示部１１の時間表示領域に「３」を表示すると共に「時間後」を表示し、表示部１１の入タイマモード表示領域に「入」を表示している。
【００７３】
この状態で切タイマ５を設定する「切タイマ」設定用の押ボタン１７(図１に示す)が１回押されると、表示部１１の時間表示領域に「１」を表示すると共に、表示部１１の切タイマモード表示領域に「切」を表示する。
【００７４】
そうすると、上記切タイマ５の設定時間を表示部１１の時間表示領域に表示する状態と表示しない状態を一定時間繰り返した後、表示部１１の時間表示領域の時間表示が消え、表示部１１のタイマモード表示領域の「切」の表示と共に入タイマモード表示領域に「入」を表示する(設定完了後の表示)。
【００７５】
上記切タイマ５の設定完了後、１時間が経過すると、切タイマ５の計時が終了し、空気調和機の運転を停止する。そして、表示部１１の切タイマモード表示領域の「切」が消え、入タイマモードであることを示す表示部１１の入タイマモード表示領域に「入」の表示が残ると共に、表示部１１の時間表示領域に「２」,「時間後」を表示する。この後は、図８と同様の動作となる。
【００７６】
なお、図９では、「切タイマ」設定用の押ボタン１７を１回押して、切タイマ５の設定時間を「１」時間としたが、表示,非表示を繰り返しているときに、押ボタン１７をもう１回押すことで切タイマ５の設定時間を「２」時間にでき、連続して押ボタン１７を押すことで押した回数分の時間を設定できる。
【００７７】
図１１(a)は上記第１実施形態の空気調和機用リモートコントローラ１の表示部１１を示し、図１１(b)は大きさを比較するための従来の図１５に示す空気調和機用リモートコントローラ１０１の表示部１１１を示している。図１１(a)に示すこの第１実施形態の空気調和機用リモートコントローラ１の表示部１１の時間表示領域、切タイマモード表示領域および入タイマモード表示領域が占める面積Ｓ１を、図１１(b)に示す従来の空気調和機用リモートコントローラ１０１の表示部１１１の２つの時間表示領域、切タイマモード表示領域および入タイマモード表示領域が占める面積Ｓ２よりも小さくすることができる。
【００７８】
また、図１２は上記第１実施形態の空気調和機用リモートコントローラ１の表示部１１の拡大図を示し、図１３(a)〜(e)は上記表示部１１の風量表示領域の風量毎の表示を示している。図１２,図１３に示すように、表示部１１の風量表示領域には、左側から右側に向かって順に階段状に高くなる５つのバー２１〜２５(図１３(a)〜(e)に示す)を配列している。また、表示部１１の風量表示領域には、風量に応じて表示,非表示されるバー２１〜２５の下側に、常時表示されるアンダーバー３１〜３５を配列している。
【００７９】
図１３(a)は風量「微」の表示を示し、５段階ある風量のうちの最も小さい風量であることを示す。図１３(b)は風量「ＭＬ」の表示を示し、５段階ある風量のうちの２段目の風量であることを示す。図１３(c)は風量「弱」の表示を示し、５段階ある風量のうちの３段目の風量であることを示す。図１３(d)は風量「ＭＨ」の表示を示し、５段階ある風量のうちの４段目の風量であることを示す。図１３(e)は風量「強」の表示を示し、５段階ある風量のうちの最も大きい風量であることを示す。
【００８０】
このように、表示部１１の風量表示領域のアンダーバー３１〜３５により、バー２１〜２５の一部が非表示の場合にも、５段階ある風量が今どの設定であるか、また、その風量設定からどれだけ風量を上げる余裕があるのかをユーザーが直感的に判別することが容易にできる。
【００８１】
これに対して、従来のリモートコントローラでは、アンダーバーがないか、または、図１４に示すように、５段階の風量を示すバー４１〜４５の下側に、「微・弱・強」が常時表示されているだけであり、バー４１〜４５の一部が非表示の場合は、５段階ある風量が今どの設定であるか、また、その風量設定からどれだけ風量を上げる余裕があるのかをユーザーが判別することは容易でない。
【００８２】
上記構成の空気調和機用リモートコントローラ１によれば、表示部１１の１つの時間表示領域を切タイマ５の設定時間または入タイマ６の設定時間の表示に兼用でき、切タイマ５および入タイマ６の両方が設定されたときは、ユーザーが混乱しないように、切タイマ５の設定時間と入タイマ６の設定時間のいずれも表示部１１の時間表示領域に表示しないので、視認性を保ちつつ表示部１１の大きさを小さくできる。したがって、低コストな空気調和機用リモートコントローラを実現することができる。
【００８３】
また、上記切タイマ５および入タイマ６の両方が設定されているとき、切タイマ５または入タイマ６の一方の計時が終了すると、計時が終了していない切タイマ５または入タイマ６の他方の設定時間を表示部１１に表示して、切タイマ５または入タイマ６のいずれか一方のみの動作モードになったときは、その切タイマ５または入タイマ６の一方の残り時間を表示部１１の時間表示領域に表示することによって、ユーザーは残り時間を知ることができる。
【００８４】
また、上記切タイマ５の設定時間および入タイマ６の設定時間を表示部１１に表示しない場合は、表示部１１の時間表示領域の数字を表示する部分と時間単位を表示する部分(「時間後」)を表示しないことによって、視認性をさらに向上でき、ユーザーが混乱しないようにできる。
【００８５】
また、上記切タイマ５または入タイマ６の一方が設定されて計時を行っているとき、切タイマ５または入タイマ６の他方が操作部４により設定されると、その設定された切タイマ５または入タイマ６の他方の設定時間を表示部１１の時間表示領域に表示する状態と表示しない状態を一定時間繰り返した後、表示部１１の時間表示領域に表示せずに、切タイマモードであることを表示部１１の切タイマモード表示領域(図１の「切」)に表示すると共に、入タイマモードであることを表示部１１の入タイマモード表示領域(図１の「入」)に表示するので、切タイマ５と入タイマ６の両方を設定する操作が表示部１１を見ながら容易に行うことができる。
【００８６】
また、図９に示すように、操作部４により設定された切タイマ５の設定時間を表示部１１の時間表示領域に表示する状態と表示しない状態を一定時間繰り返す場合に、切タイマ５の設定時間を表示部１１の時間表示領域に表示すると同時に、表示部１１の切タイマモード表示領域に切タイマモードであることを「切」により表示する一方、図１０に示すように、操作部４により設定された入タイマ６の設定時間を表示部１１の時間表示領域に表示する状態と表示しない状態を一定時間繰り返す場合に、入タイマ６の設定時間を表示部１１の時間表示領域に表示すると同時に、表示部１１の入タイマモード表示領域に入タイマモードであることを「入」により表示することによって、設定中または設定したタイマが切タイマ５であるか入タイマ６であるかをはっきりと認識でき、その設定時間も確認することができる。したがって、操作性を向上できる。
【００８７】
〔第２実施形態〕
図１６はこの発明の第２実施形態の空気調和機用リモートコントローラの制御部の動作を説明するためのフローチャートである。この第２実施形態の空気調和機用リモートコントローラは、制御部の動作を除いて第１実施形態の図１,図２に示す空気調和機用リモートコントローラと同一の構成をしており、図１,図２を援用する。また、この第２実施形態の空気調和機用リモートコントローラの制御部は、第１実施形態の空気調和機用リモートコントローラの制御部の図３〜図５に示すフローチャートに示す動作と同一の動作をし、図３〜図５を援用して説明を省略する。
【００８８】
以下に、この第２実施形態の空気調和機用リモートコントローラの制御部の第１実施形態と異なる動作内容について説明する。
【００８９】
まず、図３に示すステップＳ１,Ｓ９により入タイマモードと切タイマモードの両方が設定されている場合、図１６に示すステップＳ４１に進み、「切タイマ」設定用の設定ボタンの一例としての押ボタン１７(図１に示す)の操作があったか否かを判別する。
【００９０】
そして、ステップＳ４１で「切タイマ」設定用の押ボタン１７の操作ありと判別すると、図１７に示すステップＳ５１に進む一方、「切タイマ」設定用の押ボタン１７の操作なしと判別するとステップＳ４２に進む。
【００９１】
次に、ステップＳ４２で「入タイマ」設定用の設定ボタンの一例としての押ボタン１８の操作なしと判別するとステップＳ３１に進み、以降のステップＳ３１〜Ｓ３９の動作は、第１実施形態の空気調和機用リモートコントローラの制御部の動作と同様である。
【００９２】
そして、図１７に示すステップＳ５１では、表示部１１の時間表示領域に切タイマ５の設定時間を表示した後、ステップＳ５２に進む。
【００９３】
次に、ステップＳ５２で点滅表示をスタートする。これは、第１所定時間(例えば５秒)の間、「切」の表示と、切タイマ５の設定時間の表示と、時間単位を表示する部分(「時間後」)の表示を点滅させる。
【００９４】
次に、ステップＳ５３に進み、「切タイマ」設定用の押ボタン１７の操作ありと判別すると、ステップＳ５４に進む一方、「切タイマ」設定用の押ボタン１７の操作なしと判別すると、ステップＳ５４をスキップして、ステップＳ５５に進む。
【００９５】
次に、ステップＳ５４で「切タイマ」の時間の設定を行うと共に、点滅表示を再スタートして、第１所定時間(例えば５秒)分延長する。
【００９６】
次に、ステップＳ５５で点滅表示中であると判別すると、ステップＳ５３に戻る一方、表示部１１の点滅表示が終わって点滅表示中でないと判別すると、ステップＳ５６に進み、表示部１１の表示を「切入」に戻して、切タイマ５の設定時間の表示と、時間単位を表示する部分(「時間後」)の表示を消し、図３のステップＳ１に戻る。
【００９７】
一方、ステップＳ４２で「入タイマ」設定用の押ボタン１８(図１に示す)の操作ありと判別すると、図１８に示すステップＳ６１に進む。
【００９８】
そして、ステップＳ６１では、表示部１１の時間表示領域に入タイマ６の設定時間を表示した後、ステップＳ６２に進む。
【００９９】
次に、ステップＳ６２で点滅表示をスタートする。これは、第２所定時間(例えば５秒)の間、「入」の表示と、入タイマ６の設定時間の表示と、時間単位を表示する部分(「時間後」)の表示を点滅させる。
【０１００】
次に、ステップＳ６３に進み、「入タイマ」設定用の押ボタン１８の操作ありと判別すると、ステップＳ６４に進む一方、「入タイマ」設定用の押ボタン１８の操作なしと判別すると、ステップＳ６４をスキップして、ステップＳ６５に進む。
【０１０１】
次に、ステップＳ６４で「入タイマ」の時間の設定を行うと共に、点滅表示を再スタートして、第２所定時間(例えば５秒)分延長する。
【０１０２】
次に、ステップＳ６５で点滅表示中であると判別すると、ステップＳ６３に戻る一方、表示部１１の点滅表示が終わって点滅表示中でないと判別すると、ステップＳ６６に進み、表示部１１の表示を「切入」に戻して、入タイマ６の設定時間の表示と、時間単位を表示する部分(「時間後」)の表示を消し、図３のステップＳ１に戻る。
【０１０３】
また、図１９は切タイマ５と入タイマ６が設定されているときに切タイマ５を設定時間の確認または変更するときの表示部１１の表示例を示している。
【０１０４】
図１９(A)に示すように、切タイマ５と入タイマ６が設定されていない状態から、「１時間後切」で切タイマ５が設定されると、図１９(B)に示すように、表示部１１の時間表示領域に「１」を表示すると共に「時間後」を表示し、表示部１１の切タイマモード表示領域に「切」を表示する。
【０１０５】
そうすると、上記切タイマ５の設定時間と「時間後」および「切」を表示する状態と表示しない状態を第１所定時間(例えば５秒)繰り返して点滅表示を行う。この点滅表示中に入タイマ６が「８時間後入」で設定されると、図１９(C)に示すように、表示部１１の時間表示領域に「８」を表示すると共に「時間後」を表示し、表示部１１の切タイマモード表示領域と入タイマモード表示領域に「切入」を表示する。
【０１０６】
そうして、上記入タイマ６の設定時間と「時間後」および「入」を表示する状態と表示しない状態を第２所定時間(例えば５秒)繰り返して点滅表示を行う。
【０１０７】
そして、第２所定時間が経過すると点滅表示が終了して、入タイマ６の設定時間と「時間後」が消え、図１９(D)に示す「切入」表示のみとなる。
【０１０８】
この切タイマモードと入タイマモードの両方が設定された状態を表す「切入」表示において、例えば、「切タイマ」設定用の押ボタン１７が１回押されると、図１９(E)に示すように、「入」が表示されたままで、切タイマ５の設定時間と「時間後」および「切」を表示する状態と表示しない状態を第１所定時間(例えば５秒)繰り返して点滅表示を行う。これにより、切タイマ５の設定時間の確認が可能となる。
【０１０９】
そして、切タイマ５の設定時間の確認可能な点滅表示が終了すると、切タイマ５の設定時間と「時間後」が消えて、図１９(F)に示すように、再び「切入」表示のみとなる。
【０１１０】
また、この設定時間の確認が行える点滅表示中に、もう一度「切タイマ」設定用の押ボタン１７が１回押されると、図１９(G)に示すように、切タイマ５の設定時間が「１」から「２」に変更され、以下同様にして順次「３」,「４」,「５」,「６」,「７」,「８」と設定を変更できる(「８」の次は「１」に戻る)。
【０１１１】
そして、切タイマ５の設定時間が変更された点滅表示が終了すると、切タイマ５の設定時間と「時間後」が消えて、図１９(H)に示すように、再び「切入」表示のみとなる。
【０１１２】
なお、図１９(D)に示す切タイマモードと入タイマモードの両方が設定された状態を表す「切入」表示において、「入タイマ」設定用の押ボタン１８が１回押された場合は、「切」が表示されたままで、入タイマ６の設定時間と「時間後」および「切」を表示する状態と表示しない状態を第２所定時間(例えば５秒)繰り返して点滅表示を行う。これにより、入タイマ６の設定時間の確認が可能となる。このとき、切タイマ５のときと同様、入タイマ６の設定時間を変更できる。
【０１１３】
上記空気調和機用リモートコントローラによれば、切タイマ５と入タイマ６の両方が設定されているときに、操作部４の「切タイマ」設定用の押ボタン１７を操作して、制御部２により、切タイマ５の設定時間を表示部１１の時間表示領域に表示する状態と表示しない状態を第１所定時間繰り返すと同時に、切タイマモードであることを表示部１１の切タイマモード表示領域に表示する状態と表示しない状態を第１所定時間繰り返すことによって、「切タイマ」設定用の押ボタン１７の操作で切タイマ５の設定時間を確認することができる。また、上記切タイマ５または入タイマ６の両方が設定されているときに、操作部４の「入タイマ」設定用の押ボタン１８を操作して、制御部２により、入タイマ６の設定時間を表示部１１の時間表示領域に表示する状態と表示しない状態を第２所定時間繰り返すと同時に、入タイマモードであることを表示部１１の入タイマモード表示領域に表示する状態と表示しない状態を第２所定時間繰り返すことによって、「入タイマ」設定用の押ボタン１８の操作で入タイマ６の設定時間を確認することができる。
【０１１４】
また、上記切タイマ５と入タイマ６の両方が設定されて夫々計時を行っているときに操作部４の「切タイマ」設定用の押ボタン１７を操作すると、制御部２により、切タイマ５の設定時間を表示部１１の時間表示領域に表示する状態と表示しない状態を第１所定時間繰り返すと同時に、切タイマモードであることを表示部１１の切タイマモード表示領域に表示する状態と表示しない状態を第１所定時間繰り返し、この第１所定時間内に、操作部４の「切タイマ」設定用の押ボタン１７がさらに操作されると、制御部２により切タイマ５の設定時間が再設定される。したがって、切タイマ５と入タイマ６の両方が設定されているとき、切タイマ５の設定時間を確認した後に、続けて切タイマ５の設定時間を再設定することが可能となり、操作性が向上する。
【０１１５】
また、上記切タイマ５と入タイマ６の両方が設定されて夫々計時を行っているときに操作部４の「入タイマ」設定用の押ボタン１８を操作すると、制御部２により、入タイマ６の設定時間を表示部１１の時間表示領域に表示する状態と表示しない状態を第２所定時間繰り返すと同時に、入タイマモードであることを表示部１１の入タイマモード表示領域に表示する状態と表示しない状態を第２所定時間繰り返し、この第２所定時間内に、操作部４の「入タイマ」設定用の押ボタン１８がさらに操作されると、制御部２により入タイマ６の設定時間が再設定される。したがって、切タイマ５と入タイマ６の両方が設定されているとき、入タイマ６の設定時間を確認した後に、続けて入タイマ６の設定時間を再設定することが可能となり、操作性が向上する。
【図面の簡単な説明】
【０１１６】
【図１】図１はこの発明の第１実施形態の空気調和機用リモートコントローラの正面図である。
【図２】図２は上記空気調和機用リモートコントローラの構成を示すブロック図である。
【図３】図３は上記空気調和機用リモートコントローラの制御部の動作を説明するためのフローチャートである。
【図４】図４は図３に続く入タイマモードのときのフローチャートである。
【図５】図５は図３に続く切タイマモードのときのフローチャートである。
【図６】図６は図３に続く入タイマモードおよび切タイマモードのときのフローチャートである。
【図７】図７は切タイマを設定するときの表示部の表示例を示す図である。
【図８】図８は入タイマを設定するときの表示部の表示例を示す図である。
【図９】図９は切タイマが設定されているときに入タイマを設定するときの表示部の表示例を示す図である。
【図１０】図１０は入タイマが設定されているときに切タイマを設定するときの表示部の表示例を示す図である。
【図１１】図１１は上記実施の形態の空気調和機用リモートコントローラの表示部の大きさと従来の空気調和機用リモートコントローラの表示部の大きさを比較するための図である。
【図１２】図１２は上記実施の形態の空気調和機用リモートコントローラの表示部の拡大図である。
【図１３】図１３は上記表示部の風量表示領域の風量毎の拡大図である。
【図１４】図１４は従来の空気調和機用リモートコントローラの表示部の風量表示領域の拡大図である。
【図１５】図１５は従来の空気調和機用リモートコントローラの正面図である。
【図１６】図１６はこの発明の第２実施形態の空気調和機用リモートコントローラの制御部の動作を説明するためのフローチャートである。
【図１７】図１７は図１６に続く「切タイマ」設定用の押ボタン操作があるときのフローチャートである。
【図１８】図１８は図１６に続く「入タイマ」設定用の押ボタン操作があるときのフローチャートである。
【図１９】図１９は切タイマと入タイマが設定されているときに切タイマを設定時間の確認または変更するときの表示部の表示例を示す図である。
【符号の説明】
【０１１７】
１…空気調和機用リモートコントローラ
２…制御部
３…通信部
４…操作部
５…切タイマ
６…入タイマ
１０…本体
１１…表示部
１２…運転／停止用の押ボタン
１３…「運転切換」用の押ボタン
１４…「温度」設定用ボタン
１５…「風量」設定用の押ボタン
１６…「風向」設定用の押ボタン
１７…「切タイマ」設定用の押ボタン
１８…「入タイマ」設定用の押ボタン
１９…「取消」用の押ボタン
２１〜２５…バー
３１〜３５…アンダーバー
【図１】
0004715696.tif 000002
【図２】
0004715696.tif 000003
【図３】
0004715696.tif 000004
【図４】
0004715696.tif 000005
【図５】
0004715696.tif 000006
【図６】
0004715696.tif 000007
【図７】
0004715696.tif 000008
【図８】
0004715696.tif 000009
【図９】
0004715696.tif 000010
【図１０】
0004715696.tif 000011
【図１１】
0004715696.tif 000012
【図１２】
0004715696.tif 000013
【図１３】
0004715696.tif 000014
【図１４】
0004715696.tif 000015
【図１５】
0004715696.tif 000016
【図１６】
0004715696.tif 000017
【図１７】
0004715696.tif 000018
【図１８】
0004715696.tif 000019
【図１９】
0004715696.tif 000020